(57)【要約】      （修正有）【課題】乗馬等の高衝撃スポーツの際、又は長時間座るときに、陰茎を垂直位置に維持し、快適性を与え、温度を和らげ、そして負傷を防止するとの所望の機能を実現する簡単な方法を提供すること。【解決手段】改良された下着１０、より具体的には、乗馬及び他の高衝撃スポーツ、又はその他の活動の際に使用するための男性用下着。本発明は、使用者の陰茎を上向き垂直位置に配置及び維持することにより、使用者の生殖器を負傷及び不快から保護し、温度を調節し、潜在的には膀胱失禁を予防することができる。該下着は、主としてウエストバンド１２及び主下着本体とともに、該下着本体の前側内面に横方向に取り付けられ、使用者の陰茎を垂直に配置するために収納場所を提供しそして支持する位置決めバンド２０を有する。【選択図】図２
2017053071.tif 000002
【特許請求の範囲】
【請求項１】
使用者のウエスト周囲を囲って下着を固定するウエストバンド部；
使用者の生殖器を覆う前側内面を有する下着本体部；及び
前記下着本体部の前記前側内面に配置されて使用者に接する短冊状の位置決めバンド
を有する下着。
【請求項２】
前記下着本体部が、使用者の生殖器、鼠蹊部、及び／又は臀部を覆う、請求項１に記載の下着。
【請求項３】
前記位置決めバンドはその両端部が前記下着中に縫い付けられており、該位置決めバンドと下着本体との間に陰茎を配置するための空隙が設けられている、請求項1に記載の下着。
【請求項４】
前記位置決めバンドの１つ以上の面が織物層によって被覆されている、請求項1に記載の下着。
【請求項５】
前記位置決めバンドがゴム、エラスタン、ポリエステル、及び／又はこれらの混合物を含む伸縮性材料から成る、請求項１に記載の下着。
【請求項６】
前記下着が、使用者の脚部又は胴体の一部又は全部を覆うより大型の下着と一体化されている、請求項１に記載の下着。
【請求項７】
前記位置決めバンドの中央部の幅が短冊の両端部分よりも狭い、請求項１に記載の下着。
【発明の詳細な説明】
【技術分野】
【０００１】
本発明は下着に関する。より具体的には、スポーツウエア、スイムウエア、又は乗馬若しくは競馬等のスポーツ、及び日常的な活動のための男性用下着に関する。該下着は、陰茎を上向き垂直位置に維持して、使用者の生殖器を負傷及び不快から保護し、温度を和らげ、そして潜在的には膀胱失禁を予防する。
【背景技術】
【０００２】
従来の男性用下着及びスポーツウエアは、一般的に、男性生殖器を被覆し支持する機能のみであり、男性の生殖器官の配置及び快適性を十分に考慮したものではなかった。従来の下着は、騎手及び多くの他のアスリートたち、又は長時間座位を維持する必要がある者たちが直面する問題を正確に処理していない。このことは、日常の活動には適しているかもしれないけれども、高衝撃スポーツでは、使用者の成績及び快適性を向上するための更なる機能が要求されてよい。更に、特に夏季においては、股間部が温められ発汗する傾向にある。このことは、長時間座位を維持する必要があるときには特別な問題となり得る。現行の下着は、股間部の温度を和らげ、快適性を向上する助けにはならない。
【０００３】
特に、種々の活動の間、陰茎を垂直上向きに維持することのできる快適な下着が必要である。更に、スポーツのための使用を指向する従来の下着にはパッド、ストラップ、及び階層が組み込まれており、下着を扱い難く、製造困難にしている。更に、パッド及び追加的な階層は、股間部における温度をより高くして問題を悪化させかねない。これらの製品は、より高価となり、構造がより複雑である。従って、使用及び製造が容易で単純なサポート下着も必要である。
【発明の概要】
【発明が解決しようとする課題】
【０００４】
従って、本出願人は、新規で有用な衣料製品を考えた。より具体的には、乗馬又は競馬等のスポーツ、及び他の活動のための、男性用のスポーツウエア又は下着である。本発明は、乗馬等の高衝撃スポーツの際、又は長時間座るときに、陰茎を垂直位置に維持し、快適性を与え、温度を和らげ、そして負傷を防止するとの所望の機能を実現する簡単な方法を提供する。
【課題を解決するための手段】
【０００５】
本出願人の発明は、陰茎を上向きの方向に維持する位置決めバンドの使用を提案する。ある実施態様では、位置決めバンドは下着の前側内面に配置された伸縮性のストラップである。位置決めバンドは、両端部が固定されて横方向に配置されており、使用中は該バンドと該下着の前部織物との間に陰茎を垂直に固定することが可能であることが好ましい。他の実施態様では、該位置決めバンドは、少なくともその一部が織物層により被覆されており、皮膚と該バンドとの直接接触の回避を補助することができ、下着の装着をより快適にし得る。
【０００６】
更に、本発明の１つ以上の実施態様では、デザインが単純であることができ、該下着の製造及び使用の容易化が可能である。下着本体を構成する織物層をただ１つとし、従来型のウエストバンドを用いれば、本提案の下着は伝統的な下着によく似せて製造することが可能である。第１の修正は、下着の前側内面における位置決めバンドが、製品の製造及び使用を実質的に複雑化しないことである。
【０００７】
特筆すべきは、本概要中で使用される下着の語は、ブリーフ、ボクサーブリーフ、トランクス、ショーツ等を含む、服装の様式の種類におけるスポーツウエア、スイムウエア、又はアンダーウエアを包含することである。同様に、位置決めバンドも、本発明の目的のために使用者の陰茎を通過させる余地を与え、該陰茎を上向きの位置に確実に維持し得る限り、種々の長さ、幅、及び伸縮性の短冊状であってよい。
【０００８】
本発明のより深い理解のために、以下、選択された実施態様についてのより詳細な説明とともに、添付の図面について簡単に説明する。
【図面の簡単な説明】
【０００９】
【図１】図１は、本発明のある実施態様による下着の正面図である。
【図２】図２は、図１の下着の裏面（裏返し）図である。
【図３】図３は、図２の位置決めストラップの斜視図である。
【図４】図４は、中央部の差渡し幅がより狭い、図２の位置決めストラップの別の実施態様の斜視図である。
【図５Ａ】図５Ａは、本発明の第２の実施態様による位置決めストラップの斜視図である。
【図５Ｂ】図５Ｂは、図４Ａの位置決めストラップの断面図である。
【発明を実施するための形態】
【００１０】
図１は、共働して該衣類を使用者の腰周りに固定して該使用者の生殖器、鼠蹊部、及び臀部を被覆するウエストバンド１２及び下着本体１４を少なくとも有する、本実施態様における下着１０の図である。該下着本体は、前記ウエストバンド１２に規定された入口端部１６及び該入口端部の反対側に２つの脚用下部開口部１８を、更に有する。
【００１１】
図２は、下着１０の裏面（裏返し）図であり、本発明のある実施態様による位置決めバンド２０の内部構造を示す。該図に示されたように、下着１０には、該下着の内側に位置決めバンド２０が組み込まれている。ある実施態様においてこの位置決めバンドは、下着本体１４の前側内面に縫い付けられた伸縮性のバンドである。位置決めバンド２０は、好ましくは下着の内側に該衣類の中心部を横切って横方向に取り付けられており、これによって陰茎が使用者にとって快適な高さで該バンドを通過して上向きに固定されて配置されることができる。図３に詳細に示したように、位置決めバンド２０は、その両端部２２の位置で下着１０の前側内面に取り付けられ、これによって該バンドの中心部は該下着の織物本体から離隔することができ、使用者の陰茎が該バンドと下着本体１４との間隙に配置される余地が生ずる。ある実施態様では、位置決めバンド２０は、該バンドが横方向に固定されるように、その両端部２２が下着本体１４の前側内面に縫合によって取り付けられる。しかし、該バンドは他の手段によって取り付けられてもよい。例えば、両端部２２の近傍の同じ位置に塗布された接着剤又は他の結合手段である。
【００１２】
１つ以上の実施態様では、バンド２０の幅はその長さよりも短い。陰茎を固定し、不快感を与えないような十分に広い面積にわたって圧力を印加するには、ある程度の幅が必要である。しかし、バンドは過度に幅広であるべきではない。さもないと、使用中に陰茎を該バンドの内側に配置することが困難となり、追加の材料によって熱が滞留する。図４は、両端部２２’が一定の幅を有し、該バンドを下着本体に十分に固定できるようにした代替的なバンド２０’を示す。バンド２０’の中央部２１’の幅はより狭く、使用者の陰茎を被覆する材料の量が少ないから熱の滞留が最小限となる。その他のバンド形状乃至輪郭も、その目的を達成するために使用することができると理解されるべきである。
【００１３】
いくつかの実施態様では、位置決めバンド２０は伸縮性材料から成っており、血流を制限することなく、或いは使用者の快適性を犠牲にすることなく、陰茎を垂直に位置決めすることが可能となる。この伸縮性材料は、ゴム、ラテックス、ライクラ（登録商標）、又はある程度の柔軟性を提供するその他の適当な伸縮性織物であることができる。この材料は、皮膚と接触するときの快適性を念頭に置いて選択されてもよい。伸縮性材料により、位置決めバンド２０が、該位置決めバンドのサイズを可変とすることを要せずに、或いは該位置決めバンドの長さを調節することなしに、男性生殖器を広い範囲で収納することができるようになる。しかし、長さ調節が可能なバンドは本発明に使用できると理解されるべきである。
【００１４】
図５Ａは、位置決めバンド２０の１つ以上の面が織物層２４で被覆され、該下着の着用をより快適にした、本発明の代替的な実施態様を示す。図５Ｂに示したように、１つ以上の実施態様において、織物層２４は、バンドの表面及び裏面を被覆して、皮膚のすべてが位置決めバンド２０の材料と接触することを防止する。このことにより、バンド自体の材料を広い範囲から選択し、同時に被覆織物層を皮膚の快適性向上の観点から選択することができ、そしてバンド材料ではなく該織物層が使用者の皮膚と接触するように配置することが可能となる。いくつかの実施態様では、織物層２４は、下着本体１４の周囲の織物と一体である。他の例では、織物層２４は別個の織物辺を用いて形成され、該織物層は縫合又は他の手段によって下着に付着している。織物層２４は、下着本体１４と同種の織物材料から成っていてもよく、長時間の着用における皮膚との接触が快適な、同様の伸縮性織物から成っていてもよい。
【００１５】
本発明の１つ以上の実施態様は、製造が容易であり、使用法が簡単である。使用中、陰茎は、男性生殖器の他の部分及び着用者の股間側から離れて上向き位置に保持される。このことにより、快適性が促進され、股間領域の涼気の維持に資する。膀胱失禁の予防にも資する。
【００１６】
ここに記載された実施態様は、本発明の原理を説明することを意図したものであり、記載された実施態様に本発明を限定する趣旨ではない。従って、以下の特許請求の範囲に概説された本発明の思想及び視点を逸脱しない限り、該下着に種々の変更及び代替を行うことが可能である。
【図１】
2017053071.tif 000003
【図２】
2017053071.tif 000004
【図３】
2017053071.tif 000005
【図４】
2017053071.tif 000006
【図５Ａ】
2017053071.tif 000007
【図５Ｂ】
2017053071.tif 000008